(57)【要約】【課題】本発明は、既設枠体を利用して新設乗客コンベアを設置するに際し、揚程の大小に関係なく広幅な構成部品の設置が行える乗客コンベアを提供することにある。【解決手段】本発明は、新設枠体４の上端を、既設枠体４の上部水平部５の長手方向中間位置まで延在させて固定すると共に、新設乗客コンベア１の構成部品のうち新設枠体４よりも広幅な構成部品を前記上部水平部５の前記既設枠体３内に設置するようにしたのである。  以上説明したように構成することで、既設枠体３の上部水平部５に広幅の空間１４が形成されることになり、この空間１４を利用して新設枠体４よりも広幅な新設乗客コンベアの構成部品の設置ができるようになる。【選択図】図５
2008189418.tif 000002
【特許請求の範囲】
【請求項１】
上下階に跨って設置され既設乗客コンベアの構成部品が撤去された既設枠体と、この既設枠体内に組み込まれ前記既設枠体よりも狭幅な新設乗客コンベアの新設枠体と、この新設枠体に設置された新設乗客コンベアの構成部品とを有する乗客コンベアにおいて、前記新設枠体の上端を、前記既設枠体の上部水平部の長手方向中間位置まで延在させて固定すると共に、前記新設乗客コンベアの構成部品のうち前記新設枠体よりも広幅な構成部品を前記上部水平部の前記既設枠体内に設置したことを特徴とする乗客コンベア。
【請求項２】
上下階に跨って設置され既設乗客コンベアの構成部品が撤去された既設枠体と、この既設枠体内に組み込まれた新設乗客コンベアの新設枠体と、この新設枠体に設置された新設乗客コンベアの構成部品とを有する乗客コンベアにおいて、前記新設枠体の上端を、前記既設枠体の上部水平部の長手方向中間位置まで延在させて固定すると共に、前記新設乗客コンベアの構成部品のうち駆動機構を前記上部水平部の前記既設枠体内に設置したことを特徴とする乗客コンベア。
【請求項３】
上下階に跨って設置され既設乗客コンベアの構成部品が撤去された既設枠体と、この既設枠体内に組み込まれた新設乗客コンベアの新設枠体と、この新設枠体に設置された新設乗客コンベアの構成部品とを有する乗客コンベアにおいて、前記既設枠体の上部水平部の端部近傍に新設乗客コンベアの駆動機構を設置し、かつ前記新設枠体の上端を、前記駆動機構の設置位置に至る前まで延在させて固定したことを特徴とする乗客コンベア。
【請求項４】
上下階に跨って設置され既設乗客コンベアの構成部品が撤去された既設枠体と、この既設枠体内に組み込まれた新設乗客コンベアの新設枠体と、この新設枠体に設置された新設乗客コンベアの構成部品とを有する乗客コンベアにおいて、前記既設枠体の上部水平部の端部近傍に設置した新設乗客コンベアの駆動スプロケット及びその駆動機構と、上端を前記駆動機構の設置位置に至る前まで延在させて前記既設枠体の強度部材に支持すると共に下端を前記既設枠体の下部水平部の端部に固定した前記新設枠体と、この新設枠体の下部水平部内に軸支した従動スプロケットと、前記駆動スプロケットと前記従動スプロケット間に巻き掛けた無端状の踏段チェーンと、この踏段チェーンに連結されて前記新設枠体内を循環移動する複数の踏板とを有することを特徴とする乗客コンベア。
【請求項５】
前記新設枠体の上部水平部は、前記既設枠体よりも高さ寸法が低く構成されており、前記新設枠体は、その上部水平部の頂部を前記既設枠体の上部水平部の頂部と一致させて前記既設枠体に設けた強度部材に支持されていることを特徴とする請求項１，２，３又は４記載の乗客コンベア。
【請求項６】
既設乗客コインベアの既設枠体を利用して新設乗客コンベアを設置する乗客コンベアの改修方法において、前記既設枠体の上部水平部に広幅の空間を形成する工程と、前記既設枠体の上部水平部に形成された空間に、新設乗客コンベアの構成部品のうち新設枠体よりも広幅な構成部品を設置する工程とを有する乗客コンベアの改修方法。
【請求項７】
既設乗客コインベアの既設枠体を利用して新設乗客コンベアを設置する乗客コンベアの改修方法において、既設枠体内の既設乗客コンベアの構成部品を撤去する工程と、既設乗客コンベアの構成部品が撤去された既設枠体の上部水平部の長手方向中間部に強度部材を設置する工程と、新設乗客コンベアの新設枠体の下部水平部の端部を前記既設枠体の下部水平部端に支持させると共に新設枠体の上部水平部の端部を前記強度部材に支持させる工程と、前記新設枠体が存在しない前記既設枠体の上部水平部内に乗客コンベアの駆動機構を設置する工程と、前記新設枠体に新設乗客コンベアの構成部品を設置する工程とを有する乗客コンベアの改修方法。
【発明の詳細な説明】
【技術分野】
【０００１】
本発明は傾斜して設置され傾斜部において踏板に段差が生じるエスカレーターや傾斜部において踏板に段差が生じない乗客コンベア及びその改修方法に係り、特に、既設乗客コンベアの既設枠体を利用して新設枠体を設置する乗客コンベア及びその改修方法に関する。
【背景技術】
【０００２】
既設乗客コンベアの既設枠体を利用して新設枠体を設置する乗客コンベア及びその改修方法としては、例えば特許文献１に示すように、既に提案されている。
【０００３】
【特許文献１】特公平３−４８１１５号公報
【発明の開示】
【発明が解決しようとする課題】
【０００４】
上記従来の技術によれば、既設枠体を利用して新設乗客コンベアを設置することで、その据付作業が簡単にできると云う優れた点を有しているが、その半面、既設枠体の全長に渡って略同じ長さの新設枠体を組み込んでいるために、既設枠体に対して新設枠体の幅方向寸法が狭くなることは避けられない。
【０００５】
新設枠体の幅方向寸法が狭くなっても、乗客コンベアの揚程が１５ｍ以下であれば乗客コンベアの駆動機構を大容量化する必要がないので、十分に幅方向寸法が狭い新設枠体内に十分に設置することができる。しかしながら、揚程が１５ｍ以上となる高揚程の乗客コンベアにおいては、その駆動機構を大容量化しているので、改修時に狭幅の新設枠体内に大容量の駆動機構を設置することが困難になることがある。
【０００６】
本発明の目的は、既設枠体を利用して新設乗客コンベアを設置するに際し、揚程の大小に関係なく広幅な構成部品の設置が行える乗客コンベアを提供することにある。
【課題を解決するための手段】
【０００７】
本発明は上記目的を達成するために、新設枠体の上端を、既設枠体の上部水平部の長手方向中間位置まで延在させて固定すると共に、新設乗客コンベアの構成部品のうち新設枠体よりも広幅な構成部品を前記上部水平部の前記既設枠体内に設置するようにしたのである。
【発明の効果】
【０００８】
以上説明したように、新設枠体の上端を、既設枠体の上部水平部の長手方向中間位置まで延在させて固定することで、既設枠体の上部水平部に広幅の空間が形成されることになり、この空間を利用して新設乗客コンベアの構成部品のうち新設枠体よりも広幅な構成部品を設置できるので、揚程の大小に関係なく広幅な構成部品の設置が行える乗客コンベアを得ることができる。
【発明を実施するための最良の形態】
【０００９】
以下本発明による乗客コンベアを、図１〜図８に示すエスカレーターに基づいて説明する。
【００１０】
エスカレーター１は、上階床ＵＦと下階床ＬＦ間に跨って設置された枠体２と、この枠体２の上部水平部５内に設置された駆動機構６と、前記枠体２の幅方向両側に沿って立設された欄干パネル７と、この欄干パネル７の周縁に沿って移動可能に案内された移動手摺８と、前記枠体２内に案内されて循環移動する複数の踏板９とを備えている。
【００１１】
前記枠体２は、上階床ＵＦと下階床ＬＦ間に跨って設置された既設枠体３と、この既設枠体３の上部水平部５の長手方向中間位置まで上端部が延在する新設枠体４とを有している。この新設枠体４の上端部は、既設枠体３の長手方向中間位置に設けた強度部材１０によってその底部を支持され、頂部は既設枠体３の頂部と一致させている。また、この新設枠体４の下端部は、既設枠体３の下部水平部１１の端部に係合されている。
【００１２】
前記駆動機構６は、大きく分けると、踏段駆動機構１２と手摺駆動機構１３とからなり、踏段駆動機構１２は、前記新設枠体４の上端部を既設枠体２の上部水平部の長手方向中間部まで延在させることで形成される空間１４内に設置され、前記手摺駆動機構１３は、新設枠体１３の上部水平部に設置されている。
【００１３】
そして、前記踏段駆動機構１２は、前記上部水平部５内の空間１４内において、前記既設枠体１２に両端部を軸支された駆動軸１５と、この駆動軸１５の左右対称位置に設けられた駆動スプロケット１６Ａ，１６Ｂと、一方側の駆動スプロケット１６Ａの軸端側に設けられた動力伝達スプロケット１７と、他方側の駆動スプロケット１６Ｂの軸端側に設けられた手摺駆動スプロケット１８と、駆動用モータ１９と、この駆動用モータ１９によって駆動される減速機２０と、この減速機２０の動力を前記動力伝達スプロケット１７に動力伝達チェーン（図示せず）を介して伝達する出力スプロケット２１とを備えている。
【００１４】
前記手摺駆動機構１３は、前記手摺駆動スプロケット１８から動力伝達チェーン１８Ｃを介して動力を伝達され、前記移動手摺８を挟圧して駆動する複数の挟圧ローラを備えた手摺駆動装置を有している。
【００１５】
また、前記新設枠体４の下部水平部１１Ａ内には、前記駆動スプロケット１６Ａ，１６Ｂと同間隔の従動スプロケット２２Ａ，２２Ｂが軸支されており、駆動スプロケット１６Ａと従動スプロケット２１Ａ間及び駆動スプロケット１６Ｂと従動スプロケット２１Ｂ間には、夫々無端状の踏段チェーン２３Ａ，２３Ｂが巻き掛けられている。これら左右の踏段チェーン２３Ａ，２３Ｂに跨って複数の前記踏板９が連結されており、新設枠体４内に案内されて循環移動するように構成されている。
【００１６】
上記構成によれば、既設枠体３の内幅Ｗ１に較べて新設枠体４の内幅Ｗ２は当然狭くなる。そして、揚程１５ｍ以上の高揚程エスカレーターにおいて、大容量の駆動機構６を使用することで、駆動機構６の幅方向寸法Ｗ３が新設枠体４の内幅Ｗ２よりも大きくなった場合でも、新設枠体４を既設枠体３の上部水平部５の中間位置まで延在することで確保した空間１４を利用して既設枠体３の内幅Ｗ１に幅方向寸法Ｗ３の駆動機構６を設置することが可能となる。尚、既設枠体３の内幅Ｗ１は、もともと設置時の揚程に対応した駆動機構を設置できる寸法となっているので、新設エスカレーターの駆動機構６は十分に既設枠体３の内幅Ｗ１内に設置することができる。
【００１７】
次に、上記構成のエスカレーターを設置する手順について説明する。
【００１８】
先ず、上階床ＵＦと下階床ＬＦ間に跨って設置された既設エスカレーターの構成部品を、既設枠体３を除いて分解撤去し、次に、構成部品が撤去された既設枠体３の上部水平部５の中間部に新設エスカレーターの新設枠の上端を支持する強度部材１０を設ける。その後、新設枠体４を既設枠体３内に収納して固定するのであるが、新設枠体４の上部水平部５Ａは、既設枠体３の上部水平部５の長さの略半分の長さに形成されているので、新設枠体４の上部水平部５Ａの先端部を前記強度部材１０に仮支持させると共に、新設枠体４の下部水平部１１Ａの先端部を季節枠体３の下部水平部１１の先端部に係合させる。その後、既設枠体３と新設枠体４との前後及び左右方向の位置を決めてから新設枠体４を既設枠体３に固定する。
【００１９】
その後、上述のように構成された駆動機構６のうち踏段駆動機構１２を既設枠体３の上部水平部５の空間１４内に設置すると共に、手摺駆動機構１３を新設枠体４の上部水平部５Ａに設置する。そして、新設枠体４の下部水平部１１Ａ内に従動スプロケット２２Ａ，２２Ｂを軸支し、前記駆動スプロケット１６Ａ，１６Ｂとの間に踏段チェーン２３Ａ，２３Ｂを巻き掛け、この踏段チェーン２３Ａ，２３Ｂに複数の踏段９を連結する。
【００２０】
そして、新設枠体４の左右両側に沿って欄干パネル７を立設すると共に、その周縁に移動手摺８を装着し、この移動手摺８を前記手摺駆動機構１３を構成する手摺駆動装置の複数の挟圧ローラ間に通過させる。
【００２１】
また、これらの組み立て終了後あるいは組み立てと並行して意匠部品の設置やエスカレーターの運転制御に必要な電気系の設置を行って新設エスカレーターの設置作業を終了する。
【図面の簡単な説明】
【００２２】
【図１】本発明による乗客コンベアの一実施の形態であるエスカレーターの枠体を示す側面図。
【図２】図１における既設枠体と新設枠体の上部水平部を示す分解斜視図。
【図３】図１のＡ−Ａ線に沿う拡大断面図。
【図４】図１のＢ−Ｂ線に沿う拡大断面図。
【図５】図１における既設枠体と新設枠体の上部水平部内の駆動機構の設置状態を示す平面図。
【図６】図１における既設枠体と新設枠体の下部水平部内の従動スプロケットの設置状態を示す平面図。
【図７】図１に駆動機構を設置した場合の側面図。
【図８】図１における既設枠体と新設枠体を利用した新設エスカレーターの全体構成を示す概略側面図。
【符号の説明】
【００２３】
１…エスカレーター、２…枠体、３…既設枠体、４…新設枠体、５，５Ａ…上部水平部、６…駆動機構、７…欄干パネル、８…移動手摺、９…踏板、１０…強度部材、１１，１１Ａ…下部水平部、１２…踏段駆動機構、１３…手摺駆動機構、１４…空間、１５…駆動軸、１６Ａ，１６Ｂ…駆動スプロケット、１７…動力伝達スプロケット、１８…手摺駆動スプロケット、１９…駆動用モータ、２０…減速機、２１…出力スプロケット、２２Ａ，２２Ｂ…従動スプロケット、２３Ａ，２３Ｂ…踏段チェーン。
【図１】
2008189418.tif 000003
【図２】
2008189418.tif 000004
【図３】
2008189418.tif 000005
【図４】
2008189418.tif 000006
【図５】
2008189418.tif 000007
【図６】
2008189418.tif 000008
【図７】
2008189418.tif 000009
【図８】
2008189418.tif 000010